(57)【特許請求の範囲】
【請求項１】
輪状ステータ(1)の両端面(1A,1B)に対し一体又は別体にて設けられた第１、第２輪状絶縁カバー(3,4)と、前記輪状ステータ(1)の突出磁極(5)に対応する前記第１、第２輪状絶縁カバー(3,4)の凹部(3E)に巻回されたステータ巻線(6)と、前記両端面(1A,1B)に設けられ前記ステータ巻線(6)を覆うための第１、第２輪状巻線カバー(7,8)と、を備え、
前記輪状ステータ(1)の内径側(1a)に位置し前記第１輪状巻線カバー(7)の内端に形成された第１曲折部(20)と、前記輪状ステータ(1)の内径側(1a)に位置し前記第２輪状巻線カバー(8)の内端に形成された第２曲折部(21)と、
前記輪状ステータ(1)の内径側(1a)に位置し前記第１輪状絶縁カバー(3)の内端に形成された第３曲折部(22)と、前記輪状ステータ(1)の内径側(1a)に位置し前記第２輪状絶縁カバー(4)の内端に形成された第４曲折部(23)と、を備え、
前記第３曲折部(22)の第１先端部(22a)は前記第１曲折部(20)の第１内面(20a)に接触し、
前記第４曲折部(23)の第２先端部(23a)は前記第２曲折部(21)の第２内面(21a)に接触していることにより、前記第１、第２輪状巻線カバー(7,8)の外部からの異物が前記ステータ巻線(6)側に侵入することを防止するように構成され、かつ、油中で用いるようにしたレゾルバステータ構造において、
前記第１曲折部(20)の第１内面(20a)に形成された第１テーパ面(100)と、前記第２曲折部(21)の第２内面(21a)に形成された第２テーパ面(200)と、前記第３曲折部(22)の第３内面(22b)に形成された第３テーパ面(300)と、前記第４曲折部(23)の第４内面(23b)に形成された第４テーパ面(400)と、を備えていることを特徴とするレゾルバステータ構造。
【発明の詳細な説明】
【技術分野】
【０００１】
本発明は、レゾルバステータ構造に関し、特に、輪状絶縁カバーと輪状巻線カバーの各曲折部同志を接触させることにより、外部からステータ巻線側へ異物の侵入を防止するための新規な改良に関する。
【背景技術】
【０００２】
従来、用いられていたこの種のレゾルバステータ構造としては、例えば、特許文献１の構成を挙げることができるが、前述の特許文献１等のレゾルバステータ構造としては、詳細に示すと、図３のように構成されていた。
すなわち、図３において符号１で示されるものは、全体形状が輪状に形成され内径側１ａにロータ用孔２を有する輪状ステータであり、前記輪状ステータ１の第１端面１Ａ及び第２端面１Ｂには、樹脂インサート成形により一体に形成されるか、又は、別体にて形成された第１、第２輪状絶縁カバー３,４が設けられている。
【０００３】
前記輪状ステータ１の突出磁極５の外周には、前記第１、第２輪状絶縁カバー３,４を介してステータ巻線６が巻回されている。
前記輪状ステータ１の前記各端面１Ａ，１Ｂには、前記ステータ巻線６を覆うための第１、第２輪状巻線カバー７,８が設けられている。
前記第１、第２絶縁カバー３,４の前記内径側１ａに形成さけた第３、第４曲折部９,１０の各先端と前記第１、第２輪状巻線カバー７,８の各内面７ａ，８ａとの間には、第１、第２隙間１１,１２が形成されている。
尚、前記輪状ステータ１の前記内径側１ａには、ロータ用孔２が形成され、前記ロータ用孔２内には、図示しないロータが回転自在に配設されている。
【先行技術文献】
【特許文献】
【０００４】
【特許文献１】特許第５，０９７，９２１号公報
【発明の概要】
【発明が解決しようとする課題】
【０００５】
従来のレゾルバステータ構造は、以上のように構成されているため、次のような課題が存在していた。
すなわち、図３に示されるレゾルバステータ構造２０Ａが、例えば、自動変速機の油中、あるいは、工作機等の油中に取付けられた場合、レゾルバの組付け公差上で必要であったわずかな隙間である第１、第２隙間１１,１２を介して、他部品の切削クズ等の異物が流れ込んで、ステータ巻線６側へ侵入し、断線及び相間短絡等の危険性があり、この種の用途における信頼性を向上させるには限度があった。
【０００６】
本発明は、以上のような課題を解決するためになされたもので、特に、輪状絶縁カバーと輪状巻線カバーの各曲折部同志を接触させることにより、外部からステータ巻線側への異物の侵入を防止するようにしたレゾルバステータ構造を提供することを目的とする。
【課題を解決するための手段】
【０００７】
本発明によるレゾルバステータ構造は、輪状ステータの両端面に対し一体又は別体にて設けられた第１、第２輪状絶縁カバーと、前記輪状ステータの突出磁極に対応して前記第１、第２輪状絶縁カバーの凹部に巻回されたステータ巻線と、前記両端面に設けられ前記ステータ巻線を覆うための第１、第２輪状巻線カバーと、を備え、前記輪状ステータの内径側に位置し前記第１輪状巻線カバーの内端に形成された第１曲折部と、前記輪状ステータの内径側に位置し前記第２輪状巻線カバーの内端に形成された第２曲折部と、前記輪状ステータの内径側に位置し前記第１輪状絶縁カバーの内端に形成された第３曲折部と、前記輪状ステータの内径側に位置し前記第２輪状絶縁カバーの内端に形成された第４曲折部と、を備え、前記第３曲折部の第１先端部は前記第１曲折部の第１内面に接触し、前記第４曲折部の第２先端部は前記第２曲折部の第２内面に接触していることにより、前記第１、第２輪状巻線カバーの外部からの異物が前記ステータ巻線側に侵入することを防止するようにし、かつ、油中で用いるようにしたレゾルバステータ構造において、前記第１曲折部の第１内面に形成された第１テーパ面と、前記第２曲折部の第２内面に形成された第２テーパ面と、前記第３曲折部の第３内面に形成された第３テーパ面と、前記第４曲折部の第４内面に形成された第４テーパ面と、を備えていることを特徴とするレゾルバステータ構造である。
【発明の効果】
【０００８】
本発明によるレゾルバステータ構造は、以上のように構成されているため、次のような効果を得ることができる。
すなわち、輪状ステータの両端面に対し一体又は別体にて設けられた第１、第２輪状絶縁カバーと、前記輪状ステータの突出磁極に前記第１、第２輪状絶縁カバーを介して巻回されたステータ巻線と、前記両端面に設けられ前記ステータ巻線を覆うための第１、第２輪状巻線カバーと、を備えたレゾルバステータ構造において、前記輪状ステータの内径側に位置し前記第１輪状巻線カバーの内端に形成された第１曲折部と、前記輪状ステータの内径側に位置し前記第２輪状巻線カバーの内端に形成された第２曲折部と、前記輪状ステータの内径側に位置し前記第１輪状絶縁カバーの内端に形成された第３曲折部と、前記輪状ステータの内径側に位置し前記第２輪状絶縁カバーの内端に形成された第４曲折部と、を備え、前記第３曲折部の第１先端部は前記第１曲折部の第１内面に接触し、前記第４曲折部の第２先端部は前記第２曲折部の第２内面に接触していることにより、前記第１、第２輪状巻線カバーの外部からの異物が前記ステータ巻線側に侵入することを防止するように構成されていることにより、外部からの異物の侵入は完全に防止することができ、異物による断線及び相間短絡を防止し、信頼性を大幅に向上させることができる。
また、油中で用いる場合の信頼性を確実に得ることができる。
【図面の簡単な説明】
【０００９】
【図１】本発明によるレゾルバステータ構造を示す断面図である。
【図２】図１の要部の拡大断面図である。
【図３】従来のレゾルバステータ構造を示す断面図である。
【発明を実施するための形態】
【００１０】
本発明によるレゾルバステータ構造は、輪状絶縁カバーと輪状巻線カバーの各曲折部同志を接触させることにより、外部からステータ巻線側への異物の侵入を防止することである。
【実施例】
【００１１】
以下、図面と共に本発明によるレゾルバステータ構造の好適な実施の形態について説明する。
尚、従来例と同一又は同等部分には、同一符号を用いて説明する。
図１において、符号１で示されるものは、全体形状が輪状をなすと共に内径１ａ側にロータ用孔２を有する輪状ステータであり、この輪状ステータ１の両端面をなす第１、第２端面１Ａ，１Ｂには、互いに一体又は別体にて形成された第１、第２輪状絶縁カバー３,４が設けられている。
【００１２】
前記輪状ステータ１の各突出磁極５の外周には、前記各輪状絶縁カバー３,４を介してステータ巻線６が巻回されている。
前記輪状ステータ１の両端面をなす第１、第２端面１Ａ，１Ｂには、前記ステータ巻線６を覆うための第１、第２輪状巻線カバー７,８が設けられている。尚、前記各突出磁極５に対応する前記各輪状絶縁カバー３，４の凹部３Ｅに前記ステータ巻線６が設けられている。
【００１３】
前記第１輪状絶縁カバー７の前記内径側１ａに位置する内端には、内側（図１では下側）に向けて曲折された第１曲折部２０が形成され、前記第２輪状巻線カバー８の前記内径側１ａに位置する内端には、内側（図１では上側）に向けて曲折された第２曲折部２１が形成されている。
【００１４】
前記第１輪状絶縁カバー３の前記内径側１ａに位置する内端には、外側（図１では内側）に向けて曲折された第３曲折部２２が形成され、前記第２輪状絶縁カバー４の前記内径側１ａに位置する内端には、外側（図１では下側）に向けて曲折された第４曲折部２３が形成されている。
尚、前述の各曲折部２０,２１,２２及び２３は、何れも、図１では断面のため突起状に見えるが、実際には、突起状ではなく輪状に形成されている。
【００１５】
次に、図２に示されるように、前記第３曲折部２２の第１先端部２２ａは、前記第１曲折部２０の第１内面２０ａに接触し、前記第４曲折部２３の第２先端部２３ａは前記第２曲折部２１の第２内面２１ａに接触していることにより、前記第１、第２輪状巻線カバー７,８と前記第１、第２輪状絶縁カバー３,４を用いた前記ステータ巻線６側への異物等の侵入が防止されている。
【００１６】
従って、前述の図１におけるレゾルバステータ構造２０Ａにおいては、大気中における各種装置に取付ける場合、及び、自動変速機の油中に設置した場合等においても、油中の例えば切削クズ等の金属片の侵入も効果的に防止することができるように構成されている。
【００１７】
また、前記第１曲折部２０の第１内面２０ａに形成された第１テーパ面１００と、前記第２曲折部２１の第２内面２１ａに形成された第２テーパ面２００と、前記第３曲折部２２の第３内面２２ｂに形成された第３テーパ面３００と、前記第４曲折部２３の第４内面２３ｂに形成された第４テーパ面４００とが備えられている。
【００１８】
尚、前述の本発明によるレゾルバステータ構造の要旨とするところは、以下の通りである。
すなわち、輪状ステータ１の両端面１Ａ,１Ｂに対し一体又は別体にて設けられた第１、第２輪状絶縁カバー３,４と、前記輪状ステータ１の突出磁極５に対応する前記第１、第２輪状絶縁カバー３,４の凹部３Ｅに巻回されたステータ巻線６と、前記両端面１Ａ,１Ｂに設けられ前記ステータ巻線６を覆うための第１、第２輪状巻線カバー７,８と、を備え、前記輪状ステータ１の内径側１ａに位置し前記第１輪状巻線カバー７の内端に形成された第１曲折部２０と、前記輪状ステータ１の内径側１ａに位置し前記第２輪状巻線カバー８の内端に形成された第２曲折部２１と、前記輪状ステータ１の内径側１ａに位置し前記第１輪状絶縁カバー３の内端に形成された第３曲折部２２と、前記輪状ステータ１の内径側１ａに位置し前記第２輪状絶縁カバー４の内端に形成された第４曲折部２３と、を備え、前記第３曲折部２２の第１先端部２２ａは前記第１曲折部２０の第１内面２０ａに接触し、前記第４曲折部２３の第２先端部２３ａは前記第２曲折部２１の第２内面２１ａに接触していることにより、前記第１、第２輪状巻線カバー７,８の外部からの異物が前記ステータ巻線６側に侵入することを防止するように構成され、かつ、油中で用いるようにした構成である。
【産業上の利用可能性】
【００１９】
本発明によるレゾルバステータ構造は、各輪状巻線カバーの各曲折部を各輪状絶縁カバーの各曲折部に接触させるため、外部からステータ巻線側への異物の侵入は阻止でき、信頼性を大幅に向上させることができる。
【符号の説明】
【００２０】
１    輪状ステータ
１ａ    内径側
１Ａ    第１端面
１Ｂ    第２端面
２    ロータ用孔
３    第１輪状絶縁カバー
４    第２輪状絶縁カバー
５    突出磁極
６    ステータ巻線
７    第１輪状巻線カバー
８    第２輪状巻線カバー
２０    第１曲折部
２０ａ    第１内面
２１    第２曲折部
２１ａ    第２内面
２２    第３曲折部
２２ｂ    第３内面
２３    第４曲折部
２３ｂ    第４内面
１００    第１テーパ面
２００    第２テーパ面
３００    第３テーパ面
４００    第４テーパ面
【図１】
0006439096.tif 000002
【図２】
0006439096.tif 000003
【図３】
0006439096.tif 000004